(57)【要約】【課題】専門店と直営店を有する大型店舗において、専門店および直営店の両者に効率的な客動線を形成して、専門店および直営店の売り上げを向上させることが可能な大型店舗レイアウトを提供することを目的とする。【解決手段】客の動線を考慮した大型店舗レイアウトにおいて、複数の核店舗１０１と、サーキット形式で一対のメインモール１０２ａ，ｂを有し、複数の核店舗１０１を連結するモール１０２と、複数の専門店１０３と、複数の直営店１０４とを備え、一対のメインモール１０２ａ，ｂに挟まれる位置に、複数の直営店１０４を配置し、一対のメインモール１０２ａ，ｂの外側に複数の専門店１０３を配置したことを特徴とする。【選択図】        図２
2006183429.tif 000002
【特許請求の範囲】
【請求項１】
客の動線を考慮した大型店舗レイアウトにおいて、
複数の核店舗と、
サーキット形式で一対のメインモールを有し、前記複数の核店舗を連結するモールと、
複数の専門店と、
複数の直営店とを備え、
前記一対のメインモールに、前記複数の直営店および前記複数の専門店が面するように配置したことを特徴とする大型店舗レイアウト。
【請求項２】
前記一対のメインモールに挟まれる位置に、前記複数の直営店を配置し、前記一対のメインモールの外側に前記複数の専門店を配置したことを特徴とする請求項１に記載の大型店舗レイアウト。
【請求項３】
前記複数の直営店の略中央位置にはセンターコートが配置されており、
前記一対のメインモールは、前記センターコート側に湾曲していることを特徴とする請求項２に記載の大型店舗レイアウト。
【請求項４】
前記大型店舗は、ショッピングセンターであることを特徴とする請求項１〜請求項３のいずれか１つに記載の大型店舗レイアウト。
【発明の詳細な説明】
【技術分野】
【０００１】
本発明は、大型店舗レイアウトに関し、詳細には、客の動線を考慮した大型店舗レイアウトに関する。
【背景技術】
【０００２】
移動物体の動線を考慮して施設を設計する技術がある（例えば、特許文献１〜４参照）。図４は、従来のショッピングセンターのレイアウトの一例を示す平面図である。同図において、３０１は第１の核店舗（家具、ホームセンター）、３０２は第２の核店舗（家電、スポーツ）、３０３はモール、３０４は専門店、３０５は直営店を示している。
【０００３】
同図に示すショッピングセンターでは、２つの核店舗３０１，３０２を１つのモール３０３で連結している。専門店３０４は、モール３０３に沿ってその両側に面するように配置されている。直営店３０５は、モール３０３の一端側に並置されている。
【０００４】
【特許文献１】特開２００３−２２３０９号公報
【特許文献２】特開２００１−２４９９７２号公報
【特許文献３】特開平１０−６３７３０号公報
【特許文献４】特開平０８−１６６９７４号公報
【発明の開示】
【発明が解決しようとする課題】
【０００５】
しかしながら、かかるレイアウトのショッピングセンターでは、直営店は、モールに面しない位置に並置されているため、直営店には、あまり客が回遊せず、すなわち、直営店への効率的な客の動線を形成することができないため、直営店の売り上げが伸びないという問題がある。
【０００６】
本発明は、上記に鑑みてなされたものであり、専門店と直営店を有する大型店舗において、専門店および直営店の両者に効率的な客動線を形成して、専門店および直営店の売り上げを向上させることが可能な大型店舗レイアウトを提供することを目的とする。
【課題を解決するための手段】
【０００７】
上述した課題を解決し、目的を達成するために、本発明は、客の動線を考慮した大型店舗レイアウトにおいて、複数の核店舗と、サーキット形式で一対のメインモールを有し、前記複数の核店舗を連結するモールと、複数の専門店と、複数の直営店とを備え、前記一対のメインモールに、前記複数の直営店および前記複数の専門店が面するように配置したことを特徴とする。
【０００８】
これにより、専門店と直営店を有する大型店舗において、専門店および直営店の両者にメインモールからの客の効率的な動線を形成でき、専門店および直営店の売り上げを向上させることが可能となる。
【０００９】
また、本発明の好ましい態様によれば、前記一対のメインモールに挟まれる位置に、前記複数の直営店を配置し、前記一対のメインモールの外側に前記複数の専門店を配置したことが望ましい。
【００１０】
これにより、専門店と直営店を有する大型店舗において、専門店および直営店の両者にメインモールからの客の効率的な動線を形成でき、専門店および直営店の売り上げを向上させることが可能となる。
【００１１】
また、本発明の好ましい態様によれば、前記複数の直営店の略中央位置にはセンターコートが配置されており、前記一対のメインモールは、前記センターコート側に湾曲していることが望ましい。
【００１２】
これにより、客はメインモールを回遊しながら、その内側に配置された直営店とその外側に配置された専門店で効率良く買い物をすることができ、直営店および専門店は効率的に集客するが可能となる。
【００１３】
また、本発明の好ましい態様によれば、前記大型店舗は、ショッピングセンターであることが望ましい。
【００１４】
これにより、専門店と直営店を有するショッピングセンターにおいて、専門店および直営店の両者にメインモールからの客の効率的な動線を形成でき、専門店および直営店の売り上げを向上させることが可能となる。
【発明の効果】
【００１５】
本発明によれば、客の動線を考慮した大型店舗レイアウトにおいて、複数の核店舗と、サーキット形式で一対のメインモールを有し、前記複数の核店舗を連結するモールと、複数の専門店と、複数の直営店とを備え、前記一対のメインモールに、前記複数の直営店および前記複数の専門店が面するように配置したので、専門店と直営店を有する大型店舗において、専門店および直営店の両者にメインモールからの客の効率的な動線を形成でき、専門店および直営店の売り上げを向上させることが可能な大型店舗レイアウトを提供することが可能となる。
【発明を実施するための最良の形態】
【００１６】
以下に、この発明に係る大型店舗レイアウトにつき図面を参照しつつ詳細に説明する。以下の実施例では、大型店舗としてショッピングセンターを例示して説明するが、この実施例によりこの発明が限定されるものではない。また、下記実施例における構成要素には、当業者が容易に想定できるものまたは実質的に同一のものが含まれる。
【実施例】
【００１７】
図１は本発明の実施例に係るショッピングセンターのレイアウトを示す断面図である。同図において、１０はセンターコート、２０，３０はサブコートを示している。同図に示すショッピングセンターは３階建となっており、略中央にセンターコート１０が配置されており、センターコート１０の両側にサブコート２０，３０が配置されている。１階，２階は店舗が配置され、３階，屋上は駐車場となっている。
【００１８】
図２は図１のショッピングセンターの１階のレイアウトを示す平面図である。同図において、１０１は４つの核店舗（スポーツ，玩具，家具，ＨＣ）、１０２はモール、１０３は専門店、１０４は直営店を示している。
【００１９】
図２に示すように、４つの核店舗１０１は四隅に配置されている。モール１０２は、サーキット形式（回遊式）となっており、一対のメインモール（サウスモール，ノースモール）１０２ａ，ｂと、一対のサブモール（イーストモール，ウエストモール）１０２ｃ，ｄとを有している。モール１０２は、４つの核店舗（スポーツ，玩具，家具，ＨＣ）を連結する。一対のメインモール（サウスモール，ノースモール）１０２ａ，ｂは、センターコート１０を中心として、略対称形状となっており、センターコート１０側（内側）に湾曲した形状を呈している。
【００２０】
複数の直営店１０４は、一対のメインモール（サウスモール，ノースモール）１０２ａ，ｂに挟まれる位置に配置されている。複数の専門店１０３は、一対のメインモール（サウスモール，ノースモール）１０２ａ，ｂの外側に配置されている。すなわち、一対のメインモール（サウスモール，ノースモール）１０２ａ，ｂに、複数の直営店１０４および複数の専門店１０３が面するように配置されている。
【００２１】
上記レイアウト構成の１階では、客をサーキット形式のモール１０２に沿って回遊させることができ、客動線をモール１０２を中心に形成することができる。客はサーキット形式のダイナミックなモール空間で楽しいひとときを体験することができる。一対のメインモール（サウスモール，ノースモール）１０２ａ，ｂには、直営店１０４と専門店１０３が対等に面しているので、メインモールの客動線を直営店と専門店に均等に分散でき、専門店と直営店の双方の売り上げを向上させることが可能となる。また、一対のメインモール（サウスモール，ノースモール）１０２ａ，ｂを内側（センターコート１０側）に湾曲させているので、メインモール１０２ａ，ｂを通行する客を直営店１０４の略中央に配置されたセンターコート１０に自然に導くことができる。
【００２２】
図３は図１のショッピングセンターの２階のレイアウトを示す平面図である。同図において、２０１は３つの核店舗（家電，家具，ＨＣ）、２０２はモール、２０３は専門店、２０４は直営店を示している。
【００２３】
図３に示すように、四隅には３つの核店舗２０１と複数の直営店２０４が配置されている。モール２０２は、サーキット形式（回遊式）となっており、一対のメインモール（サウスモール，ノースモール）２０２ａ，ｂと、一対のサブモール（イーストモール，ウエストモール）２０２ｃ，ｄとを有している。モール２０２は、四隅に配置されている３つの核店舗（家電，家具，ＨＣ）２０１および複数の直営店２０４を連結する。一対のメインモール（サウスモール，ノースモール）２０２ａ，ｂは、センターコート１０を中心として、略対称形状となっており、センターコート１０側（内側）に湾曲した形状を呈している。
【００２４】
一対のメインモール（サウスモール，ノースモール）２０２ａ，ｂに挟まれる位置には、複数の直営店２０４が配置されている。また、一対のメインモール（サウスモール，ノースモール）２０２ａ，ｂの外側には、複数の専門店２０３が配置されている。すなわち、一対のメインモール（サウスモール，ノースモール）２０２ａ，ｂに、複数の直営店２０４および複数の専門店２０３が面するように配置されている。
【００２５】
上記レイアウト構成の２階では、客をサーキット形式のモール２０２に沿って回遊させることができ、客動線をモール２０２を中心に形成することができる。客はサーキット形式のダイナミックなモール空間で楽しいひとときを体験することができる。一対のメインモール（サウスモール，ノースモール）２０２ａ，ｂには、直営店２０４と専門店２０３が対等に面しているので、メインモールの客動線を直営店２０４と専門店２０３に均等に分散でき、専門店２０３と直営店２０４の双方の売り上げを向上させることが可能となる。また、一対のメインモール（サウスモール，ノースモール）２０２ａ，ｂを内側（センターコート１０側）に湾曲させているので、メインモール２０２ａ，ｂを通行する客を直営店２０４の略中央に配置されたセンターコート１０に自然に導くことができる。
【００２６】
以上説明したように、本実施例によれば、サーキット形式で一対のメインモールを含み、複数の核店舗を連結するモールを備え、一対のメインモールに複数の直営店および複数の専門店が面するように配置したので、専門店と直営店を有する大型店舗において、専門店および直営店の両者にメインモールからの客の効率的な動線を形成でき、専門店および直営店の売り上げを向上させることが可能となる。
【００２７】
また、本実施例によれば、一対のメインモールに挟まれる位置に複数の直営店を配置し、一対のメインモールの外側に複数の専門店を配置したので、客はメインモールを回遊しながら、その内側に配置された直営店とその外側に配置された専門店で効率良く買い物をすることができる。
【００２８】
また、本実施例によれば、一対のメインモールはセンターコート側に湾曲しているので、メインモールを通行する客を複数の直営店の略中心にあるセンターコートに自然に導くことができる。
【００２９】
なお、上記実施例では、一対のメインモールに挟まれる位置に複数の直営店を配置し、一対のメインモールの外側に複数の専門店を配置することとしたが、一対のメインモールに挟まれる位置に複数の専門店を配置し、一対のメインモールの外側に複数の直営店を配置する構成としても良い。
【産業上の利用可能性】
【００３０】
本発明に係る大型店舗レイアウトは、専門店と直営店を有するショッピングセンター等の大型店舗において、専門店および直営店の両者の売り上げを向上させる場合に有用である。
【図面の簡単な説明】
【００３１】
【図１】本発明の実施例に係るショッピングセンターのレイアウトを示す断面図である。
【図２】図１のショッピングセンターの１階のレイアウトを示す平面図である。
【図３】図１のショッピングセンターの２階のレイアウトを示す平面図である。
【図４】従来のショッピングセンターのレイアウトの一例を示す平面図である。
【符号の説明】
【００３２】
１０１  核店舗
１０２  モール
１０３  専門店
１０４  直営店
２０１  核店舗
２０２  モール
２０３  専門店
２０４  直営店
３０１  第１の核店舗
３０２  第２の核店舗
３０３  モール
３０４  専門店
３０５  直営店
【図１】
2006183429.tif 000003
【図２】
2006183429.tif 000004
【図３】
2006183429.tif 000005
【図４】
2006183429.tif 000006